(57)【要約】【課題】優れた衛生性を実現すると共に簡便且つ安価なカートリッジの交換を実現する。【解決手段】水栓装置１は、本体１０を備える。本体１０は、主管１６と、主管１６内に配置されたカートリッジ２０と、主管１６の先端側に配置されると共にカートリッジ２０の上部を部分的に覆う先端部材２２とを有する。カートリッジ２０は、湯水の混合量及び／又は流量を調節可能に構成された調節機構２６と、調節機構２６が内部に配置された、少なくとも表面が金属製のハウジング２８とを含む。先端部材２２は、ハウジング２８の上端部と締結可能に構成された樹脂製の締結リング３４と、締結リング３４の外周面を取り囲むと共に締結リング３４に対して回転可能に取り付けられた、少なくとも表面が金属製である化粧リング３６とを含む。締結リング３４には、着脱工具と係合可能な切欠き溝３８が締結リング３４の上端側に設けられている。【選択図】図３
2018031152.tif 000002
【特許請求の範囲】
【請求項１】
本体と、
レバーと、
吐水ヘッドとを備え、
前記本体は、
少なくとも表面が金属製である主管と、
前記主管から分岐して延びると共に先端側に前記吐水ヘッドが配置された分岐管と、
前記主管内に配置されたカートリッジと、
前記主管の先端側に配置されると共に前記カートリッジの上部を部分的に覆う先端部材とを有し、
前記レバーは、前記先端部材を覆うように前記主管の先端側において前記カートリッジと接続されており、
前記カートリッジは、
前記レバーの操作に応じて湯水の混合量及び／又は流量を調節可能に構成された調節機構と、
前記調節機構が内部に配置された、少なくとも表面が金属製のハウジングとを含み、
前記先端部材は、
前記ハウジングの上端部と締結可能に構成された樹脂製の締結リングと、
前記締結リングの外周面を取り囲むと共に前記締結リングに対して回転可能に取り付けられた、少なくとも表面が金属製である化粧リングとを含み、
前記締結リングには、前記締結リングを前記ハウジングに対して着脱させる着脱工具と係合可能な係合部が前記締結リングの上端側に設けられている、水栓装置。
【請求項２】
前記化粧リングの上端は前記締結リングの上端よりも上方に位置しており、
前記係合部は、前記締結リングの上端から下方に向けて窪む切欠き溝である、請求項１に記載の水栓装置。
【請求項３】
前記化粧リングの外周面は上方に凸の球面状を呈する、請求項１又は２に記載の水栓装置。
【請求項４】
前記化粧リングは前記主管の上端縁を覆う被覆部を含む、請求項１〜３のいずれか一項に記載の水栓装置。
【請求項５】
前記本体は、前記主管の内周面と前記ハウジングの外周面と間に配置された樹脂製のスペーサをさらに有し、
前記スペーサは前記主管と前記ハウジングとが互いに離間した状態を保持する、請求項１〜４のいずれか一項に記載の水栓装置。
【請求項６】
前記先端部材が前記主管の先端側に配置された状態で、前記締結リングと前記化粧リングとは離間しており、
前記主管の延在方向において、前記締結リングと前記化粧リングとの離間距離が前記締結リングの下端と前記スペーサとの離間距離よりも大きくなるように、前記締結リングの下端が前記化粧リングの下端よりも下方に位置している、請求項５に記載の水栓装置。
【請求項７】
前記締結リングは熱可塑性樹脂の成形体であり、
前記主管、前記化粧リング及びハウジングは、熱可塑性樹脂の成形体の表面に金属メッキが施された成形部材、又は、金属製である、請求項１〜６のいずれか一項に記載の水栓装置。
【発明の詳細な説明】
【技術分野】
【０００１】
本開示は、水栓装置に関する。
【背景技術】
【０００２】
特許文献１は、シングルレバー式の水栓装置を開示している。水栓装置は、本体と、レバーと、吐水ヘッドとを備える。本体は、ベース部材（スパウト）と、カバー部材と、湯水の混合量及び流量を調節可能に構成されたカートリッジとを有する。ベース部材は、鉛直方向に延びる主管と、主管から斜めに分岐する分岐管とで構成されている。カバー部材は、主管の上端部に取り付けられている。カートリッジは、カバー部材内に配置されている。レバーは、カバー部材の上端部に取り付けられており、カートリッジと接続されている。レバーの操作に応じて、カードリッジによる水の混合量及び流量が調節される。吐水ヘッドは、分岐管の先端部に対して着脱可能に構成されている。
【先行技術文献】
【特許文献】
【０００３】
【特許文献１】特開２０１２−２１４９９２号公報
【発明の概要】
【発明が解決しようとする課題】
【０００４】
特許文献１の水栓装置は、例えば、キッチン、洗面所、浴室等に設置される。そのため、水栓装置は、日常的に湯水、洗剤、食器汚れ等に曝されうる。特許文献１の水栓装置においては、ベース部材とカバー部材との間に継ぎ目が存在する。カバー部材内にはカートリッジが収容されており、カバー部材は比較的大きくならざるを得ないので、当該継ぎ目は、本体に関して相対的に下方に位置している。そのため、湯水、洗剤、食器汚れ等が飛び跳ねると、これらが当該継ぎ目に到達しやすい。従って、当該継ぎ目から本体内に湯水が浸入したり、当該継ぎ目に洗剤、食器汚れ等が溜まりうる。その結果、衛生上の観点から、水栓装置の度々の清掃を要する場合がある。
【０００５】
加えて、キッチン、洗面所、浴室等に設置される水栓装置には、消費者の購入意欲を刺激し、快適な使用感を与えるために、美観も求められる。そのため、水栓装置の外表面を構成する部品には、一般に、表面に金属メッキが施された樹脂が用いられている。ところが、特許文献１の水栓装置においては、カートリッジがカバー部材内に直接取り付けられている。そのため、ベース部材とカバー部材との継ぎ目から浸入した湯水と接触することにより、カートリッジのハウジングをなす金属とカバー部材の表面の金属メッキとの間において腐食が生じうる。
【０００６】
ところで、カートリッジは消耗品であり、５年〜１０年程度での交換を要する。この際に、カバー部材とカートリッジと間に腐食が生じていると、カバー部材を破壊及び除去してからカートリッジを交換しなければならず、交換作業に時間と手間を要する場合がある。のみならず、新たなカートリッジと共に、新たなカバー部材も必要となり、交換費用が嵩みうる。
【０００７】
そこで、本開示は、優れた衛生性を実現すると共に簡便且つ安価なカートリッジの交換を実現することが可能な水栓装置を説明する。
【課題を解決するための手段】
【０００８】
本開示の一つの観点に係る水栓装置は、本体と、レバーと、吐水ヘッドとを備える。本体は、少なくとも表面が金属製である主管と、主管から分岐して延びると共に先端側に吐水ヘッドが配置された分岐管と、主管内に配置されたカートリッジと、主管の先端側に配置されると共にカートリッジの上部を部分的に覆う先端部材とを有する。レバーは、先端部材を覆うように主管の先端側においてカートリッジと接続されている。カートリッジは、レバーの操作に応じて湯水の混合量及び／又は流量を調節可能に構成された調節機構と、調節機構が内部に配置された、少なくとも表面が金属製のハウジングとを含む。先端部材は、ハウジングの上端部と締結可能に構成された樹脂製の締結リングと、締結リングの外周面を取り囲むと共に締結リングに対して回転可能に取り付けられた、少なくとも表面が金属製である化粧リングとを含む。締結リングには、締結リングをハウジングに対して着脱させる着脱工具と係合可能な係合部が締結リングの上端側に設けられている。
【０００９】
本開示の一つの観点に係る水栓装置では、先端部材が主管の先端側に配置されており、レバーが先端部材を覆っている。そのため、主管と先端部材との間の継ぎ目が本体に関して相対的に上方に位置している。従って、キッチン、洗面所、浴室の日常的に湯水、洗剤、食器汚れ等に曝されうる環境においてこれらが飛び跳ねたとしても、湯水が当該継ぎ目から浸入し難く、また、洗剤、食器汚れ等が当該継ぎ目に付着し難い。その結果、水栓装置を清潔に保ちやすくなる。
【００１０】
本開示の一つの観点に係る水栓装置では、少なくとも表面が金属製のハウジングの上端部に樹脂製の締結リングが締結されており、少なくとも表面が金属製の化粧リングが締結リングの外周面を取り囲むように締結リングに取り付けられている。そのため、カートリッジと化粧リングとの間に締結リングが介在しているので、これらが直接接触し難い。従って、カートリッジの表面の金属と化粧リングの表面の金属との間での腐食の発生を抑制できる。その結果、先端部材を破壊することなくカートリッジを交換できる。換言すれば、カートリッジの交換に際して元の先端部材をそのまま利用できる。よって、交換費用が抑制できる。以上により、本開示の一つの観点に係る水栓装置によれば、優れた衛生性を実現すると共に簡便且つ安価なカートリッジの交換を実現することが可能となる。
【００１１】
ところで、特許文献１の水栓装置では、カバー部材がベース部材の主管に直接取り付けられていた。そのため、工具を用いてカバー部材をベース部材に取り付けるには、工具と係合する凹凸をカバー部材の外面に設けることが一般的であった。この場合、当該凹凸によって水栓装置の本体の美観が損なわれうる。また、当該凹凸に湯水、洗剤、食器汚れ等が溜まることにより、衛生面での懸念が生じうる。一方、カバー部材の美観を重視して、カバー部材の外面に凹凸を設けず、カバー部材をベース部材に人手で取り付けることも考えられる。この場合、カバー部材をベース部材に対して適切なトルクで取り付けることが困難となり、カバー部材によって固定されるカートリッジの性能に影響が生ずる虞がある。
【００１２】
これに対し、本開示の一つの観点に係る水栓装置では、締結リングには、締結リングをハウジングに対して着脱させる着脱工具と係合可能な係合部が化粧リングの上端側に設けられている。また、化粧リングが締結リングに対して回転可能に取り付けられている。そのため、着脱工具を締結リングの係合部に作用させることにより、外部に露出している化粧リングの外面に係合部を設けることなく、締結リングがハウジングに対して着脱される。そのため、着脱工具により適切なトルクで締結リングをハウジングに取り付けることができ、化粧リングの美観を向上できると共に、水栓装置をより清潔に保ちやすくなる。
【００１３】
加えて、本開示の一つの観点に係る水栓装置では、先端部材が締結リングと化粧リングとの二重構造になっている。そのため、締結リングと化粧リングとの間に隙間が生ずる。従って、当該隙間の存在により、水栓装置から湯水を供給する際に生ずる水流音を低減できると共に、化粧リングの外面に生じうる結露を抑制できる。
【００１４】
化粧リングの上端は締結リングの上端よりも上方に位置しており、係合部は、締結リングの上端から下方に向けて窪む切欠き溝であってもよい。この場合、係合部である切欠き溝が化粧リングの内側に隠れた状態となる。そのため、着脱工具以外による切欠き溝へのアクセスが制限される。その結果、人手による締結リングの着脱及び予期しない締結リングの緩みを防止することができる。
【００１５】
化粧リングの外周面は上方に凸の球面状を呈していてもよい。この場合、化粧リングの外面に湯水、洗剤、食器汚れ等が付着しても、化粧リングの外面から流れ落ちやすくなる。そのため、水栓装置をさらに清潔に保ちやすくなる。
【００１６】
化粧リングは主管の上端縁を覆う被覆部を含んでもよい。この場合、化粧リングの外面に湯水、洗剤、食器汚れ等が付着して流れ落ちても、これらが化粧リングと主管の上端縁との間から本体内に浸入し難く、また、これらが主管の上端縁に溜まり難い。そのため、水栓装置をいっそう清潔に保ちやすくなる。
【００１７】
本体は、主管の内周面とハウジングの外周面と間に配置された樹脂製のスペーサをさらに有し、スペーサは主管とハウジングとが互いに離間した状態を保持してもよい。この場合、スペーサによってこれらが接触しないので、主管の表面の金属とカートリッジの表面の金属との間での腐食の発生を抑制できる。
【００１８】
先端部材が主管の先端側に配置された状態で、締結リングと化粧リングとは離間しており、主管の延在方向において、締結リングと化粧リングとの離間距離が締結リングの下端とスペーサとの離間距離よりも大きくなるように、締結リングの下端が化粧リングの下端よりも下方に位置していてもよい。この場合、本体がカートリッジに対して上側に押し上げられたとしても、締結リングと化粧リングとが当接する前に、スペーサが締結リングの下端縁と当接する。そのため、本体が上下動しても、化粧リングが締結リングから外れてしまうことを防止できる。
【００１９】
締結リングは熱可塑性樹脂の成形体であり、主管、化粧リング及びハウジングは、熱可塑性樹脂の成形体の表面に金属メッキが施された成形部材、又は、金属製であってもよい。
【発明の効果】
【００２０】
本開示に係る水栓装置によれば、優れた衛生性を実現すると共に簡便且つ安価なカートリッジの交換を実現することが可能となる。
【図面の簡単な説明】
【００２１】
【図１】図１は、水栓装置の一例を示す斜視図である。
【図２】図２は、主として本体及びレバーを示す概略断面図である。
【図３】図３は、本体の上端部近傍を部分的に分解して示す概略断面図である。
【図４】図４は、本体の上端部近傍を部分的に分解して示す概略斜視図である。
【図５】図５は、先端部材及びスペーサの近傍を部分的に拡大して示す概略断面図である。
【発明を実施するための形態】
【００２２】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。
【００２３】
図１に示される水栓装置１は、例えば、キッチン、洗面所、浴室等に設置される、シングルレバー式の湯水混合栓である。水栓装置１は、本体１０と、レバー１２と、吐水ヘッド１４とを備える。
【００２４】
本体１０は、図１〜図３に示されるように、主管１６と、分岐管１８と、カートリッジ２０と、先端部材２２と、スペーサ２４とを有する。主管１６は、鉛直方向に沿って延びている。主管１６の上方には、レバー１２が配置されている。
【００２５】
分岐管１８は、主管１６の下端部近傍から上方に向けて分岐している。分岐管１８は、主管１６と一体的に形成されている。分岐管１８の先端側には、吐水ヘッド１４が配置されている。具体的には、吐水ヘッド１４は、図１に示されるように、分岐管１８内にホース１４ａが挿通された状態で分岐管１８の先端部に着脱可能に取り付けられている。吐水ヘッド１４は、分岐管１８に対して固定されていてもよいし、分岐管１８と一体化していてもよい。
【００２６】
カートリッジ２０は、図２〜図４に示されるように、主管１６の上端部近傍において主管１６内に配置されている。カートリッジ２０は、図２及び図３に示されるように、調節機構２６と、ハウジング２８とを含む。調節機構２６は、レバー１２の操作に応じて湯水の混合量及び／又は流量を調節可能に構成されている。具体的には、調節機構２６は、複数のセラミックディスク３０と、セラミックディスク３０に接続されたレバー軸３２とで構成されている。レバー軸３２には、図２に示されるように、レバー１２が取り付けられている。すなわち、レバー１２は、主管１６の先端側においてカートリッジ２０と接続されている。レバー１２が操作されると、レバー軸３２を介して複数のセラミックディスク３０が移動し、湯水の混合量及び／又は流量が調節される。
【００２７】
ハウジング２８は、調節機構２６を内部に収容している。ハウジング２８は、図２〜図４において、調節機構２６の一部を内部に収容している（レバー軸３２の先端側がハウジング２８外に突出している）が、調節機構２６の全部を内部に収容していてもよい。ハウジング２８は、下側筐体２８ａと、固定ナット２８ｂとを含む。下側筐体２８ａは、有底筒状を呈しており、調節機構２６を内部に保持している。図２及び図３に示されるように、下側筐体２８ａの内周面のうち上端部には、雌ネジＡ１が形成されている。固定ナット２８ｂは、円筒状を呈している。固定ナット２８ｂの外周面には雄ネジＡ２が形成されている。固定ナット２８ｂの雄ネジＡ２の下部が下側筐体２８ａの雌ネジＡ１と螺合することにより、固定ナット２８ｂにレバー軸３２が挿通された状態で、調節機構２６が下側筐体２８ａ及び固定ナット２８ｂにより固定される。
【００２８】
ここで、主管１６、分岐管１８及びハウジング２８は、少なくとも表面が金属製である。主管１６、分岐管１８及びハウジング２８は、金属製、又は、熱可塑性樹脂の成形体の表面に金属メッキが施された成形部材であってもよい。金属としては、例えば、高耐食性の観点から、真鍮、ＳＵＳ（ステンレス）が挙げられる。熱可塑性樹脂としては、例えば、成形の容易性の観点から、ポリプロピレン樹脂、ＡＢＳ樹脂（アクリロニトリル−ブタジエン−スチレン共重合合成樹脂）、ポリアセタール樹脂、ポリフェニレンサルファイド（ＰＰＳ：polyphenylenesulfide）樹脂、変性ポリフェニレンエーテル（ｍ−ＰＰＥ：modified-polyphenyleneether）樹脂、変性ポリフェニレンオキシド（ｍ−ＰＰＯ：modified-polyphenyleneoxide）樹脂、６ナイロン（ＰＡ６：polyamide 6）樹脂、６６ナイロン（ＰＡ６６：polyamide 66）樹脂等が挙げられる。このうち、表面に対する金属メッキの容易性の観点から、ＡＢＳ樹脂、ＰＰＳ樹脂、ｍ−ＰＰＥ樹脂、ｍ−ＰＰＯ樹脂、ＰＡ６、ＰＡ６６を用いてもよい。
【００２９】
先端部材２２は、図２に示されるように、主管１６とレバー１２の基端部１２ａとの間に配置されている。すなわち、先端部材２２は、主管１６の先端側に配置されており、レバー１２の基端部１２ａによって覆われている。先端部材２２は、図２〜図４に示されるように、全体としてリング状を呈しており、レバー軸３２が内側を挿通可能に構成されている。そのため、先端部材２２は、カートリッジ２０の上部で且つレバー軸３２の周囲を部分的に覆っている。
【００３０】
先端部材２２は、締結リング３４と、化粧リング３６とを含む。締結リング３４は、熱可塑性樹脂の成形体である。熱可塑性樹脂としては、例えば、成形の容易性の観点から、ポリアセタール樹脂、ポリフェニレンサルファイド樹脂、ポリプロピレン樹脂、６ナイロン樹脂、６６ナイロン樹脂等が挙げられる。このうち、高弾性率及び高耐熱性の観点から、ポリアセタール樹脂、ポリフェニレンサルファイド樹脂を用いてもよい。
【００３１】
締結リング３４の内周面のうち下部には、雌ネジＡ３が形成されている。締結リング３４の雌ネジＡ３が固定ナット２８ｂの雄ネジＡ２の上部と螺合することにより、締結リング３４が固定ナット２８ｂに締結される。すなわち、締結リング３４は、ハウジング２８の上端部と締結可能に構成されている。
【００３２】
締結リング３４の上端縁には、複数の切欠き溝（係合部）３８が設けられている。切欠き溝３８は、締結リング３４の上縁から下方に向けて窪んでいる。切欠き溝３８には、締結リング３４をハウジング２８に対して着脱させる着脱工具（図示せず）と係合可能である。切欠き溝３８は、本実施形態においてＶ字形状を呈しているが、着脱工具との係合が可能であれば切欠き溝３８の形状は特に限定されない。切欠き溝３８の先端には、図３及び図４に示されるように、締結リング３４の径方向において外方に向けて突出する係止片３８ａが設けられている。すなわち、切欠き溝３８の先端は、断面がフック状を呈している。
【００３３】
化粧リング３６は、少なくとも表面が金属製である。化粧リング３６の材質は、主管１６及び分岐管１８と同様の材質であってもよい。化粧リング３６は、図２〜図３に示されるように、締結リング３４の外周面を取り囲むように配置されている。化粧リング３６の内周面のうち先端側には、図３及び図４に示されるように、化粧リング３６の径方向において内方に向けて突出する環状の係止リング３６ａが設けられている。係止リング３６ａには、係止片３８ａが係止可能である。係止リング３６ａに係止片３８ａが係止されることにより、締結リング３４と化粧リング３６とが一体化して、先端部材２２が構成される。係止リング３６ａに係止片３８ａが係止された状態（以下、「係止状態」という。）において、化粧リング３６は締結リング３４に対して回転可能である。
【００３４】
化粧リング３６の外周面は、本実施形態において、上方に凸の球面状を呈している。具体的には、化粧リング３６は、上方に凸の球面のうち上方部分（化粧リング３６の貫通孔に相当する部分）が取り除かれた形状である。換言すれば、化粧リング３６の中心軸を含む仮想平面で化粧リング３６を切断したときに、いずれの断面においても、化粧リング３６の外周面の輪郭は、下方から上方に向かうにつれて径方向内側（中心軸側）に変移している。化粧リング３６の外周面のうち下端側には、化粧リング３６の径方向において外方に向けて突出する環状の被覆リング（被覆部）４０が設けられている。図２に示されるように、先端部材２２が締結リング３４を介してハウジング２８に配置された状態（以下、「配置状態」という。）において、被覆リング４０が主管１６の先端縁を覆っている。配置状態において、締結リング３４と化粧リング３６とは離間している。配置状態において、化粧リング３６の上端は、締結リング３４の上端よりも上方に位置している。配置状態において、化粧リング３６の下端部（化粧リング３６のうち被覆リング４０よりも下方の部分）は、主管１６の内側に挿入されている。化粧リング３６の下端部と主管１６との間には、Ｏリング４２が配置されている。Ｏリング４２は、化粧リング３６の下端部と主管１６との間を水密に保持している。
【００３５】
スペーサ２４は、図２〜図４に示されるように、熱可塑性樹脂の成形体であり、筒状をていしている。スペーサ２４の材質は、締結リング３４と同様の材質であってもよい。スペーサ２４は、主管１６の内周面とハウジング２８の外周面との間に配置されている。そのため、スペーサ２４は、主管１６とハウジング２８とが互いに離間した状態を保持する。図５に示されるように、配置状態において、主管１６の延在方向（鉛直方向）における締結リング３４と化粧リング３６との離間距離ｄ１が主管１６の延在方向（鉛直方向）におけるスペーサ２４と締結リング３４の下端との離間距離ｄ２よりも大きくなるように（ｄ１＞ｄ２）、締結リング３４の下端が化粧リング３６の下端よりも下方に位置している。
【００３６】
以上のような本実施形態では、先端部材２２が主管１６の先端側に配置されており、レバー１２が先端部材２２を覆っている。そのため、主管１６と先端部材２２との間の継ぎ目が本体１０に関して相対的に上方に位置している。従って、キッチン、洗面所、浴室の日常的に湯水、洗剤、食器汚れ等に曝されうる環境においてこれらが飛び跳ねたとしても、当湯水が当該継ぎ目から浸入し難く、また、洗剤、食器汚れ等が当該継ぎ目に付着し難い。その結果、水栓装置１を清潔に保ちやすくなる。
【００３７】
本実施形態では、樹脂製の締結リング３４が金属製のハウジング２８の上端部に締結されており、少なくとも表面が金属製の化粧リング３６が締結リング３４の外周面を取り囲むように締結リング３４に取り付けられている。そのため、カートリッジ２０と化粧リング３６との間に締結リング３４が介在しているので、これらが直接接触し難い。従って、カートリッジ２０の表面の金属と化粧リング３６の表面の金属との間での腐食の発生を抑制できる。その結果、先端部材２２を破壊することなくカートリッジ２０を交換できる。換言すれば、カートリッジ２０の交換に際して元の先端部材２２をそのまま利用できる。よって、交換費用が抑制できる。以上により、本実施形態に係る水栓装置１によれば、優れた衛生性を実現すると共に簡便且つ安価なカートリッジ２０の交換を実現することが可能となる。
【００３８】
本実施形態では、締結リング３４には、締結リング３４をハウジング２８に対して着脱させる着脱工具と係合可能な切欠き溝３８が化粧リング３６の上端側に設けられている。また、化粧リング３６が締結リング３４に対して回転可能に取り付けられている。そのため、着脱工具を締結リング３４の切欠き溝３８に作用させることにより、外部に露出している化粧リング３６の外面に切欠き溝３８を設けることなく、締結リング３４がハウジング２８に対して着脱される。そのため、着脱工具により適切なトルクで締結リング３４をハウジング２８に取り付けることができ、化粧リング３６の美観を向上できると共に、水栓装置１をより清潔に保ちやすくなる。
【００３９】
本実施形態では、先端部材２２が締結リング３４と化粧リング３６との二重構造になっている。そのため、締結リング３４と化粧リング３６との間に隙間が生ずる。従って、当該隙間の存在により、水栓装置１から湯水を供給する際に生ずる水流音を低減できると共に、化粧リング３６の外面に生じうる結露を抑制できる。
【００４０】
本実施形態では、化粧リング３６の上端が締結リング３４の上端よりも上方に位置しており、切欠き溝３８が締結リング３４の上端から下方に向けて窪んでいる。そのため、切欠き溝３８が化粧リング３６の内側に隠れた状態となる。従って、着脱工具以外による切欠き溝３８へのアクセスが制限される。その結果、人手による締結リング３４の着脱及び予期しない締結リング３４の緩みを防止することができる。
【００４１】
本実施形態では、化粧リング３６の外周面が上方に凸の球面状を呈している。そのため、化粧リング３６の外面に湯水、洗剤、食器汚れ等が付着しても、化粧リング３６の外面から流れ落ちやすくなる。従って、水栓装置１をさらに清潔に保ちやすくなる。
【００４２】
本実施形態では、化粧リング３６の外周面のうち下端側に、主管１６の上端縁を覆う被覆リング４０が設けられている。そのため、化粧リング３６の外面に湯水、洗剤、食器汚れ等が付着して流れ落ちても、これらが化粧リング３６と主管１６の上端縁との間から本体１０内に浸入し難く、また、これらが主管１６の上端縁に溜まり難い。従って、水栓装置１をいっそう清潔に保ちやすくなる。
【００４３】
本実施形態では、主管１６の内周面とハウジング２８の外周面と間に樹脂製のスペーサ２４が配置されており、主管１６とハウジング２８とが互いに離間した状態がスペーサ２４によって保持されている。そのため、スペーサ２４によってこれらが接触しないので、主管１６の表面の金属とカートリッジ２０の表面の金属との間での腐食の発生を抑制できる。
【００４４】
本実施形態では、配置状態において、離間距離ｄ１が離間距離ｄ２よりも大きくなるように、締結リング３４の可鍛が化粧リング３６の下端よりも下方に位置している。そのため、本体１０がカートリッジ２０に対して上側に押し上げられたとしても、締結リング３４と化粧リング３６とが当接する前に、スペーサ２４が締結リング３４の下端縁と当接する。そのため、本体１０が上下動しても、化粧リング３６が締結リング３４から外れてしまうことを防止できる。
【００４５】
以上、本開示に係る実施形態について詳細に説明したが、本発明の要旨の範囲内で種々の変形を上記の実施形態に加えてもよい。例えば、締結リング３４の上縁が化粧リング３６の上縁よりも上方に位置していてもよい。
【００４６】
締結リング３４の上端縁には、着脱工具と係合可能で且つ切欠き溝３８以外の形態の係合部が形成されていてもよい。当該係合部としては、例えば、上方に向けて突出する突出片であってもよい。
【００４７】
化粧リング３６の外周面には、凹凸が設けられていてもよい。
【００４８】
化粧リング３６には被覆リング４０が設けられていなくてもよい。
【００４９】
本体１０がスペーサ２４を有しておらず、主管１６の内周面とハウジング２８の外周面との間にスペーサ２４が配置されていなくてもよい。
【００５０】
配置状態において、離間距離ｄ１が離間距離ｄ２以下となっていてもよい（ｄ１≦ｄ２）。例えば、配置状態において、締結リング３４の下端が化粧リング３６の下端よりも下方に突出していなくてもよい。
【符号の説明】
【００５１】
１…水栓装置、１０…本体、１２…レバー、１４…吐水ヘッド、１６…主管、１８…分岐管、２０…カートリッジ、２２…先端部材、２４…スペーサ、２６…調節機構、２８…ハウジング、３４…締結リング、３６…化粧リング、３８…切欠き溝（係合部）、４０…被覆リング（被覆部）。
【図１】
2018031152.tif 000003
【図２】
2018031152.tif 000004
【図３】
2018031152.tif 000005
【図４】
2018031152.tif 000006
【図５】
2018031152.tif 000007